(57)【要約】  情報記録媒体（１００）は、（ｉ）記録又は再生を制御するための制御情報（File System）を記録するための第１記録層（Ｌ０層）と、（ｉｉ）前記第１記録層に積層されると共に、第１記録層を透過したレーザ光によって第２情報を記録するための第２記録層（Ｌ１層）とを備え、（ｉｉｉ）第１情報が記録される第１記録領域（ＦＳＡ）に対向される第２記録層の第２記録領域（ＴＡ）は、第１情報の消去に対応した消去可能な状態や記録不可能な状態で形成されている。
2007094452.tif 000002
【特許請求の範囲】
【請求項１】
少なくとも記録又は再生を制御するための制御情報を含む第１情報を記録するための第１記録層と、
前記第１記録層に積層されると共に、前記第１記録層を透過したレーザ光によって第２情報を記録するための第２記録層と、
を少なくとも備え、
前記第１情報が記録される第１記録領域に対向される前記第２記録層の第２記録領域は、前記第１情報の消去に対応した所定の状態で形成されていることを特徴とする情報記録媒体。
【請求項２】
前記所定の状態は、前記第１記録領域に記録された前記第１情報が消去される際に、当該第２記録領域に記録された前記第２情報を消去可能な状態であることを特徴とする請求の範囲第１項に記載の情報記録媒体。
【請求項３】
前記所定の状態は、前記第２情報が記録不可能な状態であることを特徴とする請求の範囲第１項に記載の情報記録媒体。
【請求項４】
少なくとも記録又は再生を制御するための制御情報を含む第１情報をレーザ光により記録するための第１記録層と、
前記第１記録層に積層され、前記第１記録層を透過した前記レーザ光によって第２情報を記録するための第２記録層と、
を少なくとも備え、
前記第１記録層は、前記第１記録層の第１記録領域に対向される前記第２記録層の第２記録領域の状態に基づいて決定される特性を保持する前記レーザ光によって、少なくとも前記第１情報を消去又は記録可能なように形成されていることを特徴とする情報記録媒体。
【請求項５】
前記第１記録層、及び前記第２記録層のうち少なくとも一方は、少なくとも前記第２記録領域において、前記第２情報が記録されているか否かを示す識別情報を記録可能な管理情報記録エリアを有することを特徴とする請求の範囲第１項に記載の情報記録媒体。
【請求項６】
前記第１記録層、及び前記第２記録層のうち少なくとも一方は、少なくとも前記第２記録領域において、前記第２情報が記録されているか否かを示す識別情報を記録可能な管理情報記録エリアを有することを特徴とする請求の範囲第４項に記載の情報記録媒体。
【請求項７】
前記第１記録層は、前記管理情報記録エリアに記録された前記識別情報に基づいて決定される前記特性を保持する前記レーザ光によって、少なくとも前記第１情報を記録可能なように形成されていることを特徴とする請求の範囲第５項に記載の情報記録媒体。
【請求項８】
前記第１記録層は、前記管理情報記録エリアに記録された前記識別情報に基づいて決定される前記特性を保持する前記レーザ光によって、少なくとも前記第１情報を記録可能なように形成されていることを特徴とする請求の範囲第６項に記載の情報記録媒体。
【請求項９】
前記第１記録層は、前記管理情報記録エリアに記録された前記識別情報によって、（ｉ）前記第２情報が記録されていないと示される場合、及び（ｉｉ）前記第２情報が記録されていると示される場合に夫々対応した最適記録パワーを基準として夫々決定される記録パワーを保持する前記レーザ光によって、少なくとも前記第１情報を記録可能なように形成されていることを特徴とする請求の範囲第５項に記載の情報記録媒体。
【請求項１０】
前記第１記録層は、前記管理情報記録エリアに記録された前記識別情報によって、（ｉ）前記第２情報が記録されていないと示される場合、及び（ｉｉ）前記第２情報が記録されていると示される場合に夫々対応した最適記録パワーを基準として夫々決定される記録パワーを保持する前記レーザ光によって、少なくとも前記第１情報を記録可能なように形成されていることを特徴とする請求の範囲第６項に記載の情報記録媒体。
【請求項１１】
前記第１記録層は、前記管理情報記録エリアに記録された前記識別情報によって、前記第２情報が記録されていると示される場合、一定の記録パワーを保持する前記レーザ光によって、少なくとも前記第１情報を記録可能なように形成されていることを特徴とする請求の範囲第５項に記載の情報記録媒体。
【請求項１２】
前記第１記録層は、前記管理情報記録エリアに記録された前記識別情報によって、前記第２情報が記録されていると示される場合、一定の記録パワーを保持する前記レーザ光によって、少なくとも前記第１情報を記録可能なように形成されていることを特徴とする請求の範囲第６項に記載の情報記録媒体。
【請求項１３】
前記第１情報は、前記制御情報に加えて、第１コンテンツ情報を含み、
少なくとも前記第１コンテンツ情報を書き換える場合に、前記制御情報を消去可能なように前記第１記録層は形成されていることを特徴とする請求の範囲第１項に記載の情報記録媒体。
【請求項１４】
前記第１情報は、前記制御情報に加えて、第１コンテンツ情報を含み、
少なくとも前記第１コンテンツ情報を書き換える場合に、前記制御情報を消去可能なように前記第１記録層は形成されていることを特徴とする請求の範囲第４項に記載の情報記録媒体。
【請求項１５】
前記第１情報は、前記制御情報に加えて、第１コンテンツ情報を含み、
少なくとも前記第１コンテンツ情報を書き換える場合に、記録されている制御情報に対して制御情報としての機能を保持しないランダムデータを記録可能なように前記第１記録層は形成されていることを特徴とする請求の範囲第１項に記載の情報記録媒体。
【請求項１６】
前記第１情報は、前記制御情報に加えて、第１コンテンツ情報を含み、
少なくとも前記第１コンテンツ情報を書き換える場合に、記録されている制御情報に対して制御情報としての機能を保持しないランダムデータを記録可能なように前記第１記録層は形成されていることを特徴とする請求の範囲第４項に記載の情報記録媒体。
【請求項１７】
少なくとも記録又は再生を制御するための制御情報を含む第１情報を記録するための第１記録層と、前記第１記録層に積層されると共に、第２情報を記録するための第２記録層とを少なくとも備える情報記録媒体に記録する情報記録装置であって、
前記第１情報を消去する第１消去手段と、
前記第１記録層を透過したレーザ光によって、前記第２情報を消去する第２消去手段と、
前記第１情報が記録された第１記録領域に対向される前記第２記録層の第２記録領域に記録された前記第２情報を、前記第１情報の消去に対応して、消去するように前記第２消去手段を制御する制御手段と
を備えることを特徴とする情報記録装置。
【請求項１８】
少なくとも記録又は再生を制御するための制御情報を含む第１情報を記録するための第１記録層と、前記第１記録層に積層されると共に、第２情報を記録するための第２記録層とを少なくとも備える情報記録媒体に記録する情報記録装置であって、
前記第１情報を消去する第１消去手段と、
前記第１記録層を透過したレーザ光によって、前記第２情報を消去する第２消去手段と、
前記第１情報が記録された第１記録領域に対向される前記第２記録層の第２記録領域の状態に基づいて決定される特性を保持する前記レーザ光によって、前記第１情報を少なくとも消去するように前記第１消去手段を制御する制御手段と
を備えることを特徴とする情報記録装置。
【請求項１９】
少なくとも記録又は再生を制御するための制御情報を含む第１情報を記録するための第１記録層と、前記第１記録層に積層されると共に、第２情報を記録するための第２記録層とを少なくとも備える情報記録媒体に記録する情報記録方法であって、
前記第１情報を消去する第１消去工程と、
前記第１記録層を透過したレーザ光によって、前記第２情報を消去する第２消去工程と、
前記第１情報が記録された第１記録領域に対向される前記第２記録層の第２記録領域に記録された前記第２情報を、前記第１情報の消去に対応して、消去するように前記第２消去工程を制御する制御工程と
を備えることを特徴とする情報記録方法。
【請求項２０】
少なくとも記録又は再生を制御するための制御情報を含む第１情報を記録するための第１トラックが形成された第１記録層と、前記第１記録層に積層されると共に、第２情報を記録するための第２記録層とを少なくとも備える情報記録媒体に記録する情報記録方法であって、
前記第１情報を消去する第１消去工程と、
前記第１記録層を透過したレーザ光によって、前記第２情報を消去する第２消去工程と、
前記第１情報が記録された第１記録領域に対向される前記第２記録層の第２記録領域の状態に基づいて決定される特性を保持する前記レーザ光によって、前記第１情報を少なくとも消去するように前記第１消去工程を制御する制御工程と
を備えることを特徴とする情報記録方法。
【請求項２１】
請求の範囲第１７項に記載の情報記録装置に備えられたコンピュータを制御する記録制御用のコンピュータプログラムであって、該コンピュータを、前記第１消去手段、前記第２消去手段、及び、前記制御手段のうち少なくとも一部として機能させることを特徴とするコンピュータプログラム。
【請求項２２】
請求の範囲第１８項に記載の情報記録装置に備えられたコンピュータを制御する記録制御用のコンピュータプログラムであって、該コンピュータを、前記第１消去手段、前記第２消去手段、及び、前記制御手段のうち少なくとも一部として機能させることを特徴とするコンピュータプログラム。
【発明の詳細な説明】
【技術分野】
【０００１】
本発明は、例えば２層型のＤＶＤ、ＣＤ（Compact Disc）等の多層型の情報記録媒体、当該情報記録媒体に情報を記録するためのＤＶＤレコーダ等の情報記録装置及び方法、記録制御用のコンピュータプログラムの技術分野に関する。
【背景技術】
【０００２】
例えば、ＣＤ−Ｒ（Compact Disc−Recordable）、ＤＶＤ−Ｒ、ＤＶＤ−ＲＷ、及び、ＤＶＤ＋Ｒ等の記録型の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクに記録を行う、ＤＶＤレコーダ等の情報記録装置では、レーザ光の照射側から見て最も手前側（即ち、光ピックアップに近い側）に位置する記録層（本願では適宜「Ｌ０層」と称する）に対して記録用のレーザ光を集光することで、Ｌ０層に対して情報を加熱などによる非可逆変化記録方式や書換え可能方式で記録する。他方、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を加熱などによる非可逆変化記録方式や書換え可能方式で記録することになる。特に、例えば、ＣＤ−ＲＷ（Compact Disc−ReWritable）、ＤＶＤ−ＲＷ、及び、ＤＶＤ＋ＲＷ等の書き換え可能な情報記録媒体では、ユーザが任意の位置に任意のタイミングで任意のデータを記録できるように、製造時に、所謂、一般的な初期化処理が行われて出荷されている。この一般的な初期化処理においては、当該情報記録媒体の記録面において、例えば初期化用レーザ光が、当該初期化用レーザ光における楕円形状の光スポットの長軸方向が、トラックの接線方向に対して垂直にされつつ数トラックに跨って照射されている。この初期化用レーザ光が照射された記録層は、結晶化され、当該記録層の光反射率は大きくなる（光透過率は小さくなる）。従って、この初期化処理が行われた光ディスクから、光ピックアップへの戻り光の光量が多量となるので、トラッキング制御をより高精度に行うことが可能となる。【０００３】
上述した例えばＤＶＤ−ＲＷ等の２層記録型の光ディスクを構成するＬ１層に情報を記録する際には、例えば図１６（ａ）に示されるように、記録済みのＬ０層を介してＬ１層に照射されたレーザ光の最適な記録パワーは、図１６（ｃ）の太線（黒三角印）の放物線上におけるジッタ値が最小となる４６（ｍＷ：ミリワット）である。他方、図１６（ｂ）に示されるように、記録済みのＬ０層とは光透過率の異なる未記録状態のＬ０層を介してＬ１層に照射されたレーザ光の最適な記録パワーは、図１６（ｃ）の細線（白三角印）の放物線上におけるジッタ値が最小となる４４．５（ｍＷ：ミリワット）であり、Ｌ１層の記録においてはＬ０層が記録されているか否かを考慮する必要性がある。これに対しては、例えば記録済みの状態のＬ０層を透過した記録用のレーザ光が照射されなければならないという、所謂、記録要件（Recording Order）を満たす記録方法が考案されている。具体的には、Ｌ０層を記録済みの状態にしてから、この記録済みのＬ０層に対応される最適な記録パワーを保持するレーザ光によって、Ｌ１層に情報が記録される手法について提案されている。或いは、未記録の状態のＬ０層において決定された最適な記録パワーにオフセットを付加した記録パワーを保持するレーザ光によって、Ｌ１層に情報が記録される手法についても提案されている。更に或いは、情報を記録予定のＬ１層の領域に対向されるＬ０層の領域が記録済みであるか否かを、例えばスペースビットマップ（ＳＢＭ：Space Bit Map）等の管理情報に基づいて判断し、その判断に基づいて、Ｌ１層に情報が記録される手法についても提案されている。ここに、本願発明に係る「対向する」とは、第１記録層の一部と第２記録層の一部とが対応して相向き合っている、即ち、概ね同一の半径位置に存在する位置関係を意味するようにしてもよい。更に、偏心等の誤差も考慮した位置関係を意味するようにしてもよい。【０００４】
更に、しかしながら、このような２層型の情報記録媒体を製造する際には、Ｌ０層とＬ１層とが別々のスタンパによって形成され、夫々の記録層が貼り合わせ、又は積層される。よって、Ｌ０層及びＬ１層において、貼り合わせ誤差によって偏芯が生じてしまう可能性がある。或いは、Ｌ０層とＬ１層とが別々のスタンパによって夫々作成されているため、夫々の記録層におけるトラックピッチに偏差が生じてしまったり、夫々の記録層における基準アドレスに対する絶対的な半径位置に偏差、所謂、寸法誤差が生じてしまう可能性がある。これらの原因によって、Ｌ０層の記録領域に、例えばプリフォーマットアドレス等のアドレス情報によって対応されるＬ１層の記録領域の半径位置にズレが生じてしまい、上述した記録要件を必ず満たすとは限らない可能性が生じてしまう。【０００５】
より具体的には、例えば記録済みのＬ０層を透過して記録する際に最適化された記録パワーを用いて記録が行われた場合、図１７の左側部で示されるように、Ｌ１層に情報を記録する際に、単一のトラック上において、記録済みの状態のＬ０層を透過した記録用のレーザ光が照射された場合には、再生信号の振幅が大きくなり良好な信号品質が得られる、即ち、信号品質を表す一例であるアシンメトリ値は適正な値になる。他方、図１７の右側部で示されるように、未記録状態のＬ０層を透過した記録用のレーザ光が照射された場合には、再生信号の振幅が小さくなり良好な信号品質は得られない、即ち、アシンメトリ値は適正でなくなる。更に、他方、図１７の中央部で示されるように、単一のトラック上において記録済みの状態の領域と未記録状態の領域とが混在するＬ０層を透過した記録用のレーザ光が照射された場合には、再生信号の振幅は偏芯量の大きさに応じて変動する、即ち、アシンメトリ値が適正なレベル及び適正でないレベルのうち一方から他方へと遷移する。【０００６】
この相対的なずれに起因する最適な記録パワーの偏差を無くすために、記録装置が、Ｌ１層の記録領域に対応されるＬ０層の記録領域の記録状態を検知することは、上述した相対的なずれを的確に認識する必要もあるため、記録制御処理が複雑になってしまう。他方、仮にこの相対的なずれに起因する最適な記録パワーの偏差を無視して、情報を記録した場合、記録された情報を再生する再生装置において２値化信号を得るための処理パラメータを動的に変更しなければならないため制御が複雑になり、再生処理において負荷を高めてしまう。【０００７】
そこで、本願発明者らによって、Ｌ０層とＬ１層との間で、通常時には記録パワーを一定として記録を行っても、記録した情報の再生品質の偏差の問題が生じないように、予めアドレスと物理的な半径位置との関係を規定する方法が考案されている。具体的には、Ｌ０層のアドレス体系における半径位置が、このアドレス体系に対応されるＬ１層のアドレス体系における半径位置が内周側に位置するように記録媒体が作成される。【０００８】
【特許文献１】特開２０００−３１１３４６号公報
【特許文献２】特開２００１−２３２３７号公報
【発明の開示】
【発明が解決しようとする課題】
【０００９】
上述した、例えばＤＶＤ−ＲＷ等の記録型の光ディスクにおいては、一般的に、情報の上書き（Over write）や、消去（erase）等を含む、情報の書き換えをより迅速且つ簡便に行うために、リードインエリア、リードアウトエリア、又は、ファイルシステム（File System）が記録されるエリア等の記録領域の一部だけをフォーマットするクイックフォーマット（Quick Format：Fast Erase：パーシャルイレース：Partial Erase）が行われる。そして、このクイックフォーマットの後、例えばデータエリア等の記録領域の他部において、コンテンツ等の情報が上書きされている。【００１０】
しかしながら、上述した例えばＤＶＤ−ＲＷ等の２層書き換え型の光ディスクにおいては、上述した記録要件を満たした情報の記録後、情報の書き換えの際には、再度、記録要件を満たす必要があるため、次のような技術的な問題点を有している。即ち、Ｌ０層の記録領域において、情報を再度記録する際には、このＬ０層の記録領域に対向されるＬ１層の記録領域の全てを、一旦消去しなければならない。よって、Ｌ１層の全面的な消去に長い時間が掛かってしまい、ユーザの利便性を低下させてしまうという技術的な問題点を有している。【００１１】
特に、クイックフォーマットにおいては、例えばＬ０層のリードインエリアに記録される、例えばファイルシステム等の制御情報を書き換える場合、ユーザは、記録要件を満たすために、制御情報が記録された記録領域と比較してより大きな、Ｌ１層の全ての記録領域を消去しなければならない。よって、クイックフォーマットに長い時間が掛かってしまい、ユーザの利便性を大幅に低下させてしまうという技術的な問題点を有している。【００１２】
本発明は、例えば上述した従来の問題点に鑑みなされたものであり、例えば複数の記録層を有する書き換え型の情報記録媒体に対して、より効率的に情報の記録を行うことが可能である情報記録媒体、情報記録装置及び方法、並びに、コンピュータをこのような情報記録装置として機能させるコンピュータプログラムを提供することを課題とする。
【課題を解決するための手段】
【００１３】
（情報記録媒体）
以下、本発明の情報記録媒体について説明する。【００１４】
上記課題を解決するために、本発明の第１情報記録媒体は、少なくとも記録又は再生を制御するための制御情報（File System）を含む第１情報（File SystemやUser Data）を記録（書き換え）するための第１記録層（Ｌ０層）と、前記第１記録層に積層されると共に、前記第１記録層を透過したレーザ光によって第２情報を記録するための第２記録層（Ｌ１層）と、を少なくとも備え、前記第１情報が記録される第１記録領域（記録領域の一部）に対向される前記第２記録層の第２記録領域（記録領域の一部）は、前記第１情報の消去に対応した所定の状態（消去可能な状態や記録不可能な状態）で形成されている。【００１５】
本発明の第１情報記録媒体によれば、第１記録層（Ｌ０層）においては、例えば、少なくとも記録又は再生を制御するためのファイルシステム（File System）等の制御情報を含む第１情報を記録又は書き換えるための第１トラックが形成されている。【００１６】
他方、第２記録層においては、例えば、第１トラックに対応する、即ち、第１トラックとペアとなると共に、第１記録層を透過したレーザ光によって第２情報を記録するための第２トラックが形成されている。ここに、「第１トラックに対応する第２トラック」とは、第１トラックによって決定される一のアドレスに対して、一義的に決定される他のアドレスが第２トラックによって、規定可能であるように、第１トラックと第２トラックとが関係付けられていることを意味する。具体的には、第１トラックによって決定される一のアドレスと、第２トラックによって決定される他のアドレスとが補数関係にあることを意味する。尚、任意のタイミングで、且つ、任意の位置に第１情報、又は第２情報を記録するために、第１トラック、又は第２トラックには、例えばＬＰＰ（Land PrePit）等のプリフォーマットアドレス情報が形成されていてもよい。【００１７】
特に、本発明によれば、第１記録層の第１記録領域に対向される第２記録層の第２記録領域は、例えば第２情報に対して消去可能な状態や記録不可能な状態等の所定の状態で形成されている。よって、第１情報を書き換える際には、第１記録領域に対向される第２記録領域においては、（ｉ）第２情報が消去されている状態にされている、又は、（ｉｉ）第２情報は最初から記録不可能である状態にされている。【００１８】
従って、上述した例えばＤＶＤ−ＲＷ等の２層書き換え型の光ディスクにおいて、記録要件を満たした第１情報及び第２情報の記録後、少なくとも第１情報を、常に記録要件を満たしつつ、迅速且つ簡便に書き換えることが可能である。具体的には、例えばクイックフォーマットの後、例えばＤＶＤレコーダー等の情報記録装置の記録動作においては、例えばレーザ光の記録パワーを動的に時々刻々と変化させることがなく、一定の最適な記録パワーによる簡便な記録制御処理によって、常に記録要件を満たしつつ第１記録層へ情報を記録することが可能である。【００１９】
以上の結果、ユーザは、少なくとも第１記録領域において、例えばファイルシステム等の第１情報を、常に記録要件を満たしつつ、迅速且つ簡便に書き換えることが可能である。【００２０】
本発明の第１情報記録媒体の一の態様では、前記所定の状態は、前記第１記録領域に記録された前記第１情報が消去される際に、当該第２記録領域に記録された前記第２情報を消去可能な状態である。【００２１】
この態様によれば、第２トラックは、第１記録層の第１記録領域に対向される第２記録層の第２記録領域を、例えば第２情報に対して消去可能な状態にさせるように形成されている。よって、第１情報を書き換える際には、第１記録領域に対向される第２記録領域においては、第２情報が消去されている状態にされている。【００２２】
以上の結果、ユーザは、少なくとも第１記録領域において、例えばファイルシステム等の第１情報を、第２情報が的確に消去されている条件下で、より確実に記録要件を満たしつつ、迅速且つ簡便に書き換えることが可能である。【００２３】
本発明の第１情報記録媒体の他の態様では、前記所定の状態は、前記第２情報が記録不可能な状態である。【００２４】
この態様によれば、第２トラックは、第１記録層の第１記録領域に対向される第２記録層の第２記録領域を、例えば第２情報に対して記録不可能な状態にさせるように形成されている。よって、第１情報を書き換える際には、第１記録領域に対向される第２記録領域においては、第２情報は最初から記録不可能である状態にされている。具体的には、第２記録領域を例えばリードアウトエリア等の緩衝用エリアの中に含めるように構成してもよい。【００２５】
以上の結果、第２情報の消去が不要であるより迅速なクイックフォーマット等の第１情報の消去の後で、ユーザは、少なくとも第１記録領域において、例えばファイルシステム等の第１情報を、常に記録要件を満たしつつ、迅速且つ簡便に書き換えることが可能である。【００２６】
上記課題を解決するために、本発明の第２情報記録媒体は、少なくとも記録又は再生を制御するための制御情報（File System）を含む第１情報（File SystemやUser Data）をレーザ光により記録（書き換え）するための第１記録層（Ｌ０層）と、前記第１記録層に積層され、前記第１記録層を透過した前記レーザ光によって第２情報を記録するための第２記録層（Ｌ１層）と、を少なくとも備え、前記第１記録層は、前記第１記録層の第１記録領域（記録領域の一部）に対向される前記第２記録層の第２記録領域（記録領域の一部）の状態（記録済み状態や未記録状態）に基づいて決定される特性（消去又は記録パワー）を保持する前記レーザ光によって、少なくとも前記第１情報を消去又は記録可能なように形成されている。【００２７】
本発明の第２情報記録媒体によれば、前述した第１情報記録媒体と概ね同様にして、第１記録層（Ｌ０層）においては、例えば、第１トラックが形成されている。また、第２記録層（Ｌ１層）においては、例えば、第２トラックが形成されている。【００２８】
特に、本発明によれば、第１記録層は、第１記録層の第１記録領域に対向される第２記録層の第２記録領域における、記録済み状態や未記録状態等の各種の状態に基づいて決定される、例えば消去又は記録パワー等の特性を保持するレーザ光によって、少なくとも第１情報を消去又は記録可能なように形成されている。【００２９】
以上の結果、ユーザは、少なくとも第１記録領域において、例えばファイルシステム等の第１情報を、適切な記録パワーによって、迅速且つ簡便に書き換えることが可能である。【００３０】
本発明の第１及び第２情報記録媒体の他の態様では、前記第１記録層、及び前記第２記録層のうち少なくとも一方は、少なくとも前記第２記録領域において、前記第２情報が記録されているか否かを示す識別情報（フラグ）を記録可能な管理情報記録エリアを有する。【００３１】
この態様によれば、例えばファイルシステム等の第１情報を書き換える際には、第１記録領域に対向される第２記録領域に、第２情報が記録されているか否かが識別情報に基づいて判別される。【００３２】
この結果、ユーザは、少なくとも第１記録領域において、例えばファイルシステム等の第１情報を、常に記録要件を満たしつつ、迅速且つ簡便に書き換えることが可能である。特に、識別情報に基づいて、第２記録領域において情報をより効率的に消去することができるので、例えばクイックフォーマット等の第１情報の消去をより効率的に行うことが可能である。【００３３】
加えて、この態様によれば、例えばファイルシステム等の第１情報を書き換える際には、第１記録領域に対向される第２記録領域に、第２情報が記録されているか否かが識別情報に基づいて判別される。よって、この識別情報に基づいて、第２記録領域の記録状態に対応して、より適切に、第１記録層に第１情報を記録するための最適記録パワーを決定することが可能である。【００３４】
この結果、ユーザは、少なくとも第１記録領域において、例えばファイルシステム等の第１情報を、適切な記録パワーによって、迅速且つ簡便に書き換えることが可能である。具体的には、例えばＤＶＤレコーダー等の情報記録装置における、クイックフォーマットの動作においては、例えばコントロールデータゾーン等の管理情報記録エリアに記録された、例えばフラグ等の識別情報によって、第２情報が第２記録領域に記録されていないと示された場合、又は記録されていると示された場合、に対応して、一定の最適な記録パワーが夫々決定される。この決定された一定の最適な記録パワーによる簡便な記録制御処理によって、適切に第１情報を書き換えることが可能である。【００３５】
上述した第１トラックの態様では、前記第１記録層は、前記管理情報記録エリアに記録された前記識別情報（フラグ）に基づいて決定される前記特性（記録パワー）を保持する前記レーザ光によって、少なくとも前記第１情報を記録可能なように形成されているように構成してもよい。【００３６】
このように構成すれば、ユーザは、少なくとも第１記録領域において、例えばファイルシステム等の第１情報を、識別情報に基づいて決定された適切な記録パワーによって、より迅速且つ簡便に書き換えることが可能である。【００３７】
上述した第１トラックの態様では、前記第１記録層は、前記管理情報記録エリアに記録された前記識別情報（フラグ）によって、（ｉ）前記第２情報が記録されていないと示される場合、及び（ｉｉ）前記第２情報が記録されていると示される場合に夫々対応した最適記録パワーを基準として夫々決定される記録パワーを保持する前記レーザ光によって、少なくとも前記第１情報を記録可能なように形成されているように構成してもよい。【００３８】
このように構成すれば、ユーザは、少なくとも第１記録領域において、例えばファイルシステム等の第１情報を、（ｉ）第２情報が記録されていない場合における適切な記録パワー、又は、（ｉｉ）第２情報が記録されている場合における適切な記録パワーによって、より迅速且つ簡便に書き換えることが可能である。【００３９】
上述した第１トラックの態様では、前記第１記録層は、前記管理情報記録エリアに記録された前記識別情報（フラグ）によって、前記第２情報が記録されていると示される場合、一定の記録パワーを保持する前記レーザ光によって、少なくとも前記第１情報を記録可能なように形成されているように構成してもよい。【００４０】
このように構成すれば、ユーザは、少なくとも第１記録領域において、例えばファイルシステム等の第１情報を、一定の記録パワーによって、より簡便且つ迅速に書き換えることが可能である。【００４１】
本発明の第１及び第２情報記録媒体の他の態様では、前記第１情報は、前記制御情報（File System）に加えて、第１コンテンツ情報を含み、少なくとも前記第１コンテンツ情報を書き換える場合に、前記制御情報を消去可能なように前記第１記録層は形成されている。【００４２】
この態様によれば、ユーザは、少なくとも第１記録領域において、例えばファイルシステム等の制御情報を、迅速且つ簡便に書き換えることが可能である。【００４３】
本発明の第１及び第２情報記録媒体の他の態様では、前記第１情報は、前記制御情報（File System）に加えて、第１コンテンツ情報を含み、少なくとも前記第１コンテンツ情報を書き換える場合に、記録されている制御情報に対して制御情報としての機能を保持しないランダムデータを記録可能なように前記第１記録層は形成されている。【００４４】
この態様によれば、ユーザは、制御情報の消去を省略して、少なくとも第１記録領域において、例えばファイルシステム等の制御情報を、より迅速且つ簡便に書き換えることが可能である。【００４５】
（情報記録装置）
以下、本発明の情報記録装置について説明する。【００４６】
上記課題を解決するために、本発明の第１情報記録装置は、少なくとも記録又は再生を制御するための制御情報（File System）を含む第１情報（File SystemやUser Data）を記録（書き換え）するための第１記録層（Ｌ０層）と、前記第１記録層に積層されると共に、第２情報を記録するための第２記録層（Ｌ１層）とを少なくとも備える情報記録媒体に記録する情報記録装置であって、前記第１情報を消去（記録）する第１消去手段と、前記第１記録層を透過したレーザ光によって、前記第２情報を消去（記録）する第２消去手段と、前記第１情報が記録された第１記録領域に対向される前記第２記録層の第２記録領域に記録された前記第２情報を、前記第１情報の消去に対応して、消去するように前記第２消去手段を制御する制御手段とを備える。【００４７】
本発明の第１情報記録装置によれば、制御手段の制御下で、第１情報の消去に対応して、第２消去手段によって、第２情報が消去される。よって、第１情報を書き換える際には、第１記録領域に対向される第２記録領域においては、第２情報が消去されている。【００４８】
従って、上述した例えばＤＶＤ−ＲＷ等の２層書き換え型の光ディスクにおいて、記録要件を満たした第１情報及び第２情報の記録後、少なくとも第１情報を、常に記録要件を満たしつつ、迅速且つ簡便に書き換えることが可能である。具体的には、例えばクイックフォーマットの後、例えばＤＶＤレコーダー等の情報記録装置の記録動作においては、例えばレーザ光の記録パワーを動的に時々刻々と変化させることがなく、一定の最適な記録パワーによる簡便な記録制御処理によって、常に記録要件を満たしつつ第１記録層へ情報を記録することが可能である。【００４９】
以上の結果、ユーザは、少なくとも第１記録領域において、例えばファイルシステム等の第１情報を、常に記録要件を満たしつつ、迅速且つ簡便に書き換えることが可能である。【００５０】
尚、上述した本発明の第１情報記録媒体が有する各種態様に対応して、本発明の第１情報記録装置も各種態様を採ることが可能である。【００５１】
上記課題を解決するために、本発明の第２情報記録装置は、少なくとも記録又は再生を制御するための制御情報（File System）を含む第１情報（File SystemやUser Data）を記録（書き換え）するための第１記録層（Ｌ０層）と、前記第１記録層に積層されると共に、第２情報を記録するための第２記録層（Ｌ１層）とを少なくとも備える情報記録媒体に記録する情報記録装置であって、前記第１情報を消去（記録）する第１消去手段と、前記第１記録層を透過したレーザ光によって、前記第２情報を消去（記録）する第２消去手段と、前記第１情報が記録された第１記録領域に対向される前記第２記録層の第２記録領域の状態（記録済み状態や未記録状態）に基づいて決定される特性（消去又は記録パワー）を保持する前記レーザ光によって、前記第１情報を少なくとも消去（記録）するように前記第１消去手段を制御する制御手段とを備える。【００５２】
本発明の第２情報記録装置によれば、制御手段の制御下で、第２記録領域における記録済み状態や未記録状態等の各種の状態に基づいて決定される、例えば消去又は記録パワー等の特性を保持するレーザ光が照射されることで、第１消去手段によって、第１情報が消去又は上書きされる。【００５３】
以上の結果、ユーザは、少なくとも第１記録領域において、例えばファイルシステム等の第１情報を、適切な記録パワーによって、迅速且つ簡便に書き換えることが可能である。【００５４】
尚、上述した本発明の第２情報記録媒体が有する各種態様に対応して、本発明の第２情報記録装置も各種態様を採ることが可能である。【００５５】
（情報記録方法）
以下、本発明の情報記録方法について説明する。【００５６】
上記課題を解決するために、本発明の第１情報記録方法は、少なくとも記録又は再生を制御するための制御情報（File System）を含む第１情報（File SystemやUser Data）を記録（書き換え）するための第１記録層（Ｌ０層）と、前記第１記録層に積層されると共に、第２情報を記録するための第２トラックが形成された第２記録層（Ｌ１層）とを少なくとも備える情報記録媒体に記録する情報記録方法であって、前記第１情報を消去（記録）する第１消去工程と、前記第１記録層を透過したレーザ光によって、前記第２情報を消去（記録）する第２消去工程と、前記第１情報が記録された第１記録領域に対向される前記第２記録層の第２記録領域に記録された前記第２情報を、前記第１情報の消去に対応して、消去するように前記第２消去工程を制御する制御工程とを備える。【００５７】
本発明の第１情報記録方法によれば、上述した本発明の第１情報記録装置が有する各種利益を享受することが可能となる。【００５８】
尚、上述した本発明の第１情報記録装置が有する各種態様に対応して、本発明の第１情報記録方法も各種態様を採ることが可能である。【００５９】
上記課題を解決するために、本発明の第２情報記録方法は、少なくとも記録又は再生を制御するための制御情報（File System）を含む第１情報（File SystemやUser Data）を記録（書き換え）するための第１記録層（Ｌ０層）と、前記第１記録層に積層されると共に、第２情報を記録するための第２記録層（Ｌ１層）とを少なくとも備える情報記録媒体に記録する情報記録方法であって、前記第１情報を消去（記録）する第１消去工程と、前記第１記録層を透過したレーザ光によって、前記第２情報を消去（記録）する第２消去工程と、前記第１情報が記録された第１記録領域に対向される前記第２記録層の第２記録領域の状態（記録済み状態や未記録状態）に基づいて決定される特性（消去又は記録パワー）を保持する前記レーザ光によって、前記第１情報を少なくとも消去（記録）するように前記第１消去工程を制御する制御工程とを備える。【００６０】
本発明の第２情報記録方法によれば、上述した本発明の第２情報記録装置が有する各種利益を享受することが可能となる。【００６１】
尚、上述した本発明の第２情報記録装置が有する各種態様に対応して、本発明の第２情報記録方法も各種態様を採ることが可能である。【００６２】
（コンピュータプログラム）
以下、本発明のコンピュータプログラムについて説明する。【００６３】
上記課題を解決するために、本発明の記録制御用の第１のコンピュータプログラムは、上述した本発明の第１情報記録装置（但し、その各種態様を含む）に備えられたコンピュータを制御する記録制御用のコンピュータプログラムであって、該コンピュータを、前記第１消去手段、前記第２消去手段、及び、前記制御手段のうち少なくとも一部として機能させる。【００６４】
上記課題を解決するために、本発明の記録制御用の第２のコンピュータプログラムは、上述した本発明の第２情報記録装置（但し、その各種態様を含む）に備えられたコンピュータを制御する記録制御用のコンピュータプログラムであって、該コンピュータを、前記第１消去手段、前記第２消去手段、及び、前記制御手段のうち少なくとも一部として機能させる。【００６５】
本発明に係る第１及び第２コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の第１及び第２情報記録装置を比較的簡単に実現できる。【００６６】
尚、上述した本発明の第１及び第２情報記録装置における各種態様に対応して、本発明の各コンピュータプログラムも各種態様を採ることが可能である。【００６７】
上記課題を解決するために、コンピュータ読取可能な媒体内の第１コンピュータプログラム製品は、上述した本発明の第１情報記録装置（但し、その各種態様を含む）に備えられたコンピュータにより実行可能なプログラム命令を明白に具現化し、該コンピュータを、前記第１消去手段、前記第２消去手段、及び、前記制御手段のうち少なくとも一部として機能させる。【００６８】
上記課題を解決するために、コンピュータ読取可能な媒体内の第２コンピュータプログラム製品は、上述した本発明の第２情報記録装置（但し、その各種態様を含む）に備えられたコンピュータにより実行可能なプログラム命令を明白に具現化し、該コンピュータを、前記第１消去手段、前記第２消去手段、及び、前記制御手段のうち少なくとも一部として機能させる。【００６９】
本発明の第１及び第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の第１及び第２情報記録装置を比較的容易に実施可能となる。更に具体的には、当該コンピュータプログラム製品は、上述した本発明の第１及び第２情報記録装置として機能させるコンピュータ読取可能なコード（或いはコンピュータ読取可能な命令）から構成されてよい。【００７０】
本発明のこのような作用及び他の利得は次に説明する実施例から明らかにされる。【００７１】
以上説明したように、本発明の第１情報記録媒体によれば、第１トラックが形成された第１記録層と、第２トラックが形成された第２記録層とを備える。従って、ユーザは、少なくとも第１記録領域において、例えばファイルシステム等の第１情報を、常に記録要件を満たしつつ、迅速且つ簡便に書き換えることが可能である。【００７２】
本発明の第２情報記録媒体によれば、第１トラックが形成された第１記録層と、第２トラックが形成された第２記録層とを備える。従って、ユーザは、少なくとも第１記録領域において、例えばファイルシステム等の第１情報を、適切な記録パワーによって、迅速且つ簡便に書き換えることが可能である。【００７３】
本発明の第１情報記録装置及び方法によれば、第１消去手段及び工程、第２消去手段及び工程、並びに、制御手段及び工程を備える。従って、ユーザは、少なくとも第１記録領域において、例えばファイルシステム等の第１情報を、常に記録要件を満たしつつ、迅速且つ簡便に書き換えることが可能である。【００７４】
本発明の第２情報記録装置及び方法によれば、第１消去手段及び工程、第２消去手段及び工程、並びに、制御手段及び工程を備える。従って、ユーザは、少なくとも第１記録領域において、例えばファイルシステム等の第１情報を、適切な記録パワーによって、迅速且つ簡便に書き換えることが可能である。【００７５】
また、本発明の第１コンピュータプログラムによれば、コンピュータを上述した本発明の情報記録装置として機能させるので、情報記録装置をして、少なくとも第１記録領域において、例えばファイルシステム等の第１情報を、常に記録要件を満たしつつ、迅速且つ簡便に書き換えしめることが可能である。【００７６】
また、本発明の第２コンピュータプログラムによれば、コンピュータを上述した本発明の情報記録装置として機能させるので、情報記録装置をして、少なくとも第１記録領域において、例えばファイルシステム等の第１情報を、適切な記録パワーによって、迅速且つ簡便に書き換えしめることが可能である。
【図面の簡単な説明】
【００７７】
【図１】本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。
【図２】本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した一の概念的グラフである。
【図３】本発明の情報記録装置の実施例に係る情報記録再生装置、及び、ホストコンピュータの基本構成を示したブロック図である。
【図４】本発明の情報記録媒体の第１実施例に係る２層型光ディスクの記録領域を図式的に示した模式図である。
【図５】本発明の情報記録媒体の第１実施例に係る２層型光ディスクの記録領域を、Ｌ１層の反射光量に着目して、図式的に示した模式図である。
【図６】本発明の情報記録媒体の第１実施例に係る２層型光ディスクに対するクイックフォーマットの方法の一具体例を示したフローチャートである。
【図７】本発明の情報記録媒体の第２実施例に係る２層型光ディスクの記録領域を図式的に示した模式図である。
【図８】本発明の情報記録媒体の第２実施例に係る２層型光ディスクに対するクイックフォーマットの方法の一具体例を示したフローチャートである。
【図９】本発明の情報記録媒体の第３実施例に係る２層型光ディスクの記録領域を図式的に示した模式図である。
【図１０】本発明の情報記録媒体の第３実施例に係る、対向エリアに情報が記録されているか否かを示す識別情報（フラグ）等を含む管理情報を示したテーブルである。
【図１１】本発明の情報記録媒体の第３実施例に係る２層型光ディスクに対するクイックフォーマットの方法の一具体例を示したフローチャートである。
【図１２】本発明の情報記録媒体の第３実施例に係る２層型光ディスクに対するクイックフォーマットの方法の他の具体例を示したフローチャートである。
【図１３】本発明の情報記録媒体の第４実施例に係る２層型光ディスクの記録領域を図式的に示した模式図である。
【図１４】本発明の情報記録媒体の第４実施例に係る、暗号化データエリア、及び対向エリアに情報が記録されているか否かを示す識別情報（フラグ）等を含む管理情報を示したテーブルである。
【図１５】本発明の情報記録媒体の第４実施例に係る２層型光ディスクに対するＬ０層への書き換え記録の方法の具体例の一具体例を示したフローチャートである。
【図１６】本発明に係る記録要件を概念的に示した模式図（図１６（ａ）及び図１６（ｂ））、並びに数値的に示したグラフ（図１６（ｃ））である。
【図１７】比較例に係る問題点を示した模式図である。
【符号の説明】
【００７８】
１００…光ディスク、１０１−０（１０１−１）…リードインエリア、１０２−０（１０２−１）…データエリア、１０３−０（１０３−１）…リードアウトエリア、１０４−０（１０４−１）…ミドルエリア、３００…情報記録再生装置、３０１…光ピックアップ、３０２…信号記録再生手段、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＬＢ…レーザ光、ＣＤＺ…コントロールデータゾーン、ＦＳＡ…ファイルシステムエリア
【発明を実施するための最良の形態】
【００７９】
以下、本発明を実施するための最良の形態について実施例毎に順に図面に基づいて説明する。  （１）情報記録媒体の実施例
図１及び図２を参照して、本発明の情報記録媒体の実施例について詳細に説明する。尚、本実施例に係る光ディスクにおいては、本願発明に係る「第１トラック」の一例を構成するＬ０層のトラックパスと、Ｌ１層のトラックパスとが反対の記録方向であるオポジット方式が記録方式の一具体例として採用されている。【００８０】
（１−１）基本構成
先ず、図１を参照して、本発明の情報記録媒体の実施例に係る、例えば２層書き換え型の光ディスクの基本構造について説明する。ここに、図１は、本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。【００８１】
図１（ａ）及び図１（ｂ）に示されるように、光ディスク１００は、例えば、ＤＶＤと同じく直径１２ｃｍ程度のディスク本体上の記録面に、センターホール１を中心として、例えばデータエリア等の記録領域が設けられている。そして、光ディスク１００の例えば、透明基板１０６に、本発明の第１記録層に係るＬ０層、並びに、本発明の第２記録層に係るＬ１層等の記録層が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なデータ管理単位である。【００８２】
本実施例に係る光ディスク１００は、図１（ｂ）に示されるように、例えば、透明基板１０６に、Ｌ０層（第１記録層）及びＬ１層（第２記録層）が積層された構造をしている。このような二層型の光ディスク１００における、例えば相変化方式に基づいた記録時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。尚、２層型光ディスクにおけるオポジット方式による記録又は再生手順、並びに、各層におけるデータ構造については、後述される。【００８３】
（１−２）詳細構成
次に、図２を参照して、本発明の情報記録媒体の実施例に係る２層型光ディスクの詳細構成について説明する。より具体的には、図２を参照して、２層型光ディスクのデータ構造、該光ディスクの記録領域におけるＥＣＣブロックを構成する物理的セクタ番号（以下、適宜「セクタ番号」と称す）、並びに、該光ディスクのオポジット方式による記録又は再生手順について説明する。ここに、図２は、本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した一の概念的グラフである。尚、図２の縦軸は、１６進数で表現されたセクタ番号を示し、横軸は、光ディスクの半径方向の相対的な位置を示す。【００８４】
図２に示されるように、本発明の情報記録媒体の実施例に係る２層型光ディスク１００は、図示しない透明基板に積層された２層の記録層、即ち、Ｌ０層とＬ１層とを備えて構成されている。具体的には、Ｌ０層には、内周側から外周側にかけて、最適記録パワーの検出（較正処理：ＯＰＣ：Optimum Power Control）のためのパワーキャリブレーションエリアＰＣＡ１（以下適宜「ＰＣＡ：Power Calibration Area」と称す）、本発明に係る「制御情報」の一例であるファイルシステム（File System：以下、適宜「ＦＳ」と称す）を記録するためのファイルシステムエリアＦＳＡ、リードインエリア１０１−０、データエリア１０２−０、及び、ミドルエリア１０４−０が設けられている。また、ＰＣＡ１内の矢印は、較正処理のために記録領域が消費されていく方向を示している。尚、本発明は、このような三つのエリアを有する光ディスクには特に限定されない。例えば、リードインエリア１０１又はリードアウトエリア１０３、並びにミドルエリア１０４が存在せずとも、以下に説明するデータ構造等の構築は可能である。また、後述するように、リードインエリア１０１又はリードアウト１０３、並びにミドルエリア１０４は更に細分化された構成であってもよい。【００８５】
リードインエリア１０１−０には、ファイルシステムエリアＦＳＡ、及びコントロールデータゾーンＣＤＺが設けられている。ファイルシステムエリアＦＳＡには、本実施例に係る光ディスクにおける記録又は再生を制御するためのファイルシステムが記録される。また、コントロールデータゾーンＣＤＺには、後述される対応エリアに情報が記録されているか否かを示すフラグ等の本発明に係る「識別情報」や、例えば記録層の数や記録トラックの方向やトラックピッチ等に関する情報を含む管理情報が記録可能である。【００８６】
データエリア１０２−０には、情報（データ）が記録可能である。ミドルエリア１０４−０は、Ｌ０層及びＬ１層に対する記録又は再生位置が未記録領域や基板外へ外れることを防止する基本機能を有するが、層間ジャンプの際に記録又は再生位置が未記録領域や基板外に外れることを防止する、言わば「ジャンプ緩衝用エリア」としての機能も有する。【００８７】
他方、Ｌ１層には、外周側から内周側にかけて、ミドルエリア１０４−１、データエリア１０２−１、リードアウトエリア１０３−１、及び、パワーキャリブレーションエリアＰＣＡ２が設けられている。【００８８】
以上のように２層型光ディスク１００は構成されているので、該光ディスク１００の記録又は再生の際には、後述される本発明の情報記録装置の一具体例に係る情報記録再生装置の光ピックアップ等によって、レーザ光ＬＢは、図示しない基板の側から、即ち、図２中の下側から上側に向けて照射され、その焦点距離等が制御されると共に、光ディスク１００の半径方向における移動距離及び方向が制御される。これにより、夫々の記録層にデータが記録され、又は、記録されたデータが再生される。【００８９】
本発明の情報記録媒体の実施例に係る２層型光ディスクの記録又は再生手順として、オポジット方式が採用されている。ここに、オポジット方式とは、より詳細には、２層型光ディスクの記録又は再生手順として、後述される情報記録再生装置の光ピックアップが、Ｌ０層において、内周側から外周側へ向かって、即ち、図２中の矢印の右方向へ移動するのとは逆に、Ｌ１層においては、光ピックアップが外周側から内周側へ向かって、即ち、図２中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り替えればよいため、Ｌ０層からＬ１層への切り替え時間がパラレル方式と比較して短いという利点があるため大容量のコンテンツ情報の記録には採用されている。【００９０】
具体的には、図２のグラフ部分において示されるように、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。尚、上述したＬ０層とＬ１層とにおけるセクタ番号はすべて、１６進数における１５の補数の関係にある。また、物理的セクタ番号に対して、論理ブロックアドレス（ＬＢＡ：Logical Block Address）が、１対１に割り付けられている。よって、例えば、ホストコンピュータは、物理的セクタ番号に意識することなく、例えば、ファイルシステムによって管理された論理ブロックアドレスに従って記録及び再生動作を行うことが可能となる。【００９１】
（２）情報記録装置の実施例
次に、図３を参照して、本発明の情報記録装置の実施例について詳細に説明する。特に、本実施例は、本発明に係る情報記録装置を光ディスク用の情報記録再生装置に適用した例である。【００９２】
（２−１）基本構成
先ず、図３を参照して、本発明の情報記録装置に係る第１実施例における情報記録再生装置３００及び、ホストコンピュータ４００の基本構成について説明する。ここに、図３は、本発明の情報記録装置の実施例に係る情報記録再生装置、及び、ホストコンピュータの基本構成を示したブロック図である。尚、情報記録再生装置３００は、光ディスク１００に記録データを記録する機能と、光ディスク１００に記録された記録データを再生する機能とを備える。【００９３】
図３を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。【００９４】
情報記録再生装置３００は、光ディスク１００、光ピックアップ３０１、信号記録再生手段３０２、アドレス検出部３０３、アドレス演算部３０４、ＣＰＵ（ドライブ制御手段）３０５、スピンドルモータ３０６、メモリ３０７、データ入出力制御手段３０８、及びバス３０９を備えて構成されている。【００９５】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。【００９６】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０５が、データ入出力制御手段３０８、及びバス３０９を介して、直接情報記録再生装置３００を制御することによって、外部ネットワークと通信可能となるように構成してもよい。【００９７】
光ピックアップ３０１は光ディスク１００への記録再生を行うもので、半導体レーザ装置とレンズから構成される。より詳細には、光ピックアップ３０１は、光ディスク１００に対してレーザービーム等の光ビームを、再生時には読み取り光として再生レベルのレーザパワーで照射し、記録時には書き込み光として記録レベルのレーザパワーで且つ変調させながら照射する。【００９８】
信号記録再生手段３０２は、光ピックアップ３０１とスピンドルモータ３０６とを制御することで光ディスク１００に対して記録再生を行う。より具体的には、信号記録再生手段３０２は、例えば、レーザダイオードドライバ（ＬＤドライバ）及びヘッドアンプ等によって構成されている。レーザダイオードドライバは、光ピックアップ３０１内に設けられた図示しない半導体レーザを駆動する。ヘッドアンプは、光ピックアップ３０１の出力信号、即ち、光ビームの反射光を増幅し、該増幅した信号を出力する。より詳細には、信号記録再生手段３０２は、例えばＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。特に、信号記録再生手段３０２は、光ピックアップ３０１と共に、本発明に係る「第１消去手段」や「第２消去手段」の一例を構成する。【００９９】
ＣＰＵ（ドライブ制御手段）３０５は、バス３０９を介して、各種手段に指示を行うことで、情報記録再生装置３００全体の制御を行う。また、ＣＰＵ３０５が動作するためのソフトウェア又はファームウェアは、メモリ３０７に格納されている。尚、ＣＰＵ（ドライブ制御手段）３０５は、後述されるＣＰＵ（ホスト制御手段）４０１と共に、本発明に係る「制御手段」の一例を構成する。【０１００】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。【０１０１】
メモリ３０７は、記録再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１０２】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録再生データも同様にして、当該データ入出力制御手段３０８を介して、ホストコンピュータ４００に対して送受信される。【０１０３】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。【０１０４】
特に、操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。【０１０５】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。【０１０６】
（３）本発明の情報記録媒体の第１実施例に係るクイックフォーマットの方法
次に、図４から図６を参照して、本発明の情報記録媒体の第１実施例に係るクイックフォーマットの方法について説明する。【０１０７】
（３−１）第１実施例に係る２層型光ディスクの詳細構成
先ず、図４及び図５を参照して、本発明の情報記録媒体の第１実施例に係る詳細構成について説明する。ここに、図４は、本発明の情報記録媒体の第１実施例に係る２層型光ディスクの記録領域を図式的に示した模式図である。図５は、本発明の情報記録媒体の第１実施例に係る２層型光ディスクの記録領域を、Ｌ１層の反射光量に着目して、図式的に示した模式図である。【０１０８】
図４に示されるように、第１実施例に係る２層型光ディスクの記録領域について詳細には、ファイルシステムが記録されるファイルシステムエリアＦＳＡに対向される対向エリアＴＡ（即ち、本発明に係る「第２記録領域」の一具体例）においては、クイックフォーマットに際して、情報を消去可能な状態にされている。特に、対向エリアＴＡは、前述したＬ１層のリードアウトエリア１０３−１の領域に含まれないようにしてもよい。【０１０９】
より詳細には、本願発明者らによる研究によれば、対向エリアＴＡに記録された情報を消去する理由は、クイックフォーマットの後、記録要件を満たしつつ決定された最適記録パワーを保持するレーザ光によって、ファイルシステムをＬ０層のファイルシステムエリアＦＳＡに記録するためであることが判明している。具体的には、図５に示されるように、（ｉ）対向エリアＴＡが記録済み状態の場合におけるＬ１層からの反射光量（図５（ａ）を参照）は、（ｉｉ）対向エリアＴＡが未記録状態の場合におけるＬ１層からの反射光量（図５（ｂ）を参照）より小さい。このため、Ｌ０層を記録してからＬ１層を記録するという記録要件を満たした条件下で、ファイルシステムをＬ０層に記録するための最適記録パワーを決定するためには、対向エリアを（記録済み状態ではなく）未記録状態にする必要があるからである。【０１１０】
（３−２）第１実施例に係る２層型光ディスクに対するクイックフォーマットの方法
次に、図６を参照して、本発明の情報記録媒体の第１実施例に係る２層型光ディスクに対するクイックフォーマットの方法について説明する。ここに、図６は、本発明の情報記録媒体の第１実施例に係る２層型光ディスクに対するクイックフォーマットの方法の一具体例を示したフローチャートである。【０１１１】
図６に示されるように、光ディスク１００が装着されると、ＣＰＵ３０５等の制御手段の制御下で、光ピックアップ３０１や信号記録再生手段３０２等の読出手段によって、初期動作として、例えばＣＤＺに記録された、例えば後述の識別情報を含む、各種の管理情報が取得される（ステップＳ１０１）。【０１１２】
次に、ＣＰＵ３０５等の制御手段の制御下で、取得された管理情報に基づいて、２層型の光ディスク１００であるか否かが判定される（ステップＳ１０２）。ここで、２層型の光ディスク１００であると判定された場合（ステップＳ１０２：Ｙｅｓ）、ＣＰＵ３０５の制御下で、光ピックアップ３０１や信号記録再生手段３０２等の記録再生手段によって、Ｌ１層の対向エリアＴＡに記録された情報の消去が行われる（ステップＳ１０３）。【０１１３】
次に、ＣＰＵ３０５の制御下で、光ピックアップ３０１や信号記録再生手段３０２等の記録再生手段によって、Ｌ０層のファイルシステムエリアＦＳＡに記録されたファイルシステムの消去が行われる（ステップＳ１０４）。【０１１４】
次に、ＣＰＵ３０５の制御下で、光ピックアップ３０１や信号記録再生手段３０２等の記録再生手段によって、Ｌ０層のリードインエリア、及びＬ１層のリードアウトエリアに記録された情報の消去、所謂、フォーマットが行われる（ステップＳ１０５）。【０１１５】
次に、ＣＰＵ３０５の制御下で、クイックフォーマットが終了したか否かが判定される（ステップＳ１０６）。ここで、クイックフォーマットが終了した場合（ステップＳ１０６：Ｙｅｓ）、一連の動作は終了される。他方、クイックフォーマットが終了していない場合（ステップＳ１０６：Ｎｏ）、例えば前述したように、Ｌ１層の対向エリアＴＡに記録された情報の消去が行われる（ステップＳ１０３）。【０１１６】
他方、前述したステップＳ１０２の判定の結果、２層型の光ディスク１００であると判定されない場合（ステップＳ１０２：Ｎｏ）、前述したステップＳ１０３における、Ｌ１層の対向エリアＴＡに記録された情報の消去は、省略される。【０１１７】
上述したように第１実施例によれば、例えばファイルシステムを書き換える際には、ファイルシステムエリアＦＳＡに対向される対向エリアＴＡにおいては、各種の情報が消去されている状態にされている。従って、例えばＤＶＤ−ＲＷ等の２層書き換え型の光ディスクにおいて、記録要件を満たした各種の情報の記録後、少なくともファイルシステムを、常に記録要件を満たしつつ、迅速且つ簡便に書き換えることが可能である。具体的には、例えばクイックフォーマットの後、例えばＤＶＤレコーダー等の情報記録装置の記録動作においては、例えばレーザ光の記録パワーを動的に時々刻々と変化させることがなく、一定の最適な記録パワーによる簡便な記録制御処理によって、再度、記録要件を満たすことが可能である。【０１１８】
以上の結果、ユーザは、少なくともＬ０層において、例えばファイルシステム等の情報を、上述した記録要件を常に満たしつつ、迅速且つ簡便に書き換えることが可能である。【０１１９】
（４）本発明の情報記録媒体の第２実施例に係るクイックフォーマットの方法
次に、図７及び図８を参照して、本発明の情報記録媒体の第２実施例に係るクイックフォーマットの方法について説明する。【０１２０】
（４−１）第２実施例に係る２層型光ディスクの詳細構成
先ず、図７を参照して、本発明の情報記録媒体の第２実施例に係る詳細構成について説明する。ここに、図７は、本発明の情報記録媒体の第２実施例に係る２層型光ディスクの記録領域を図式的に示した模式図である。【０１２１】
図７に示されるように、第２実施例に係る２層型光ディスクの記録領域について詳細には、ファイルシステムが記録されるファイルシステムエリアＦＳＡに対向される対向エリアＴＡ（即ち、本発明に係る「第２記録領域」の一具体例）においては、クイックフォーマットに際して、情報を記録不可能な状態にされている。具体的には、対向エリアＴＡを、前述したＬ１層のリードアウトエリア１０３−１の領域に含まれるようにさせて、ユーザによって各種の情報を記録できないようにしてもよい。或いは、この対向エリアＴＡを、光学的や物理的特性に基づいて、情報の記録に加えて消去ができないように構成してもよい。【０１２２】
（４−２）第２実施例に係る２層型光ディスクに対するクイックフォーマットの方法
次に、図８を参照して、本発明の情報記録媒体の第２実施例に係る２層型光ディスクに対するクイックフォーマットの方法について説明する。ここに、図８は、本発明の情報記録媒体の第２実施例に係る２層型光ディスクに対するクイックフォーマットの方法の一具体例を示したフローチャートである。尚、図８において、前述した第１実施例と同様の処理には同様のステップ番号を付し、それらの説明は適宜省略する。【０１２３】
図８に示されるように、前述したステップＳ１０２の判定の結果、２層型の光ディスク１００であると判定された場合（ステップＳ１０２：Ｙｅｓ）、ＣＰＵ３０５の制御下で、Ｌ１層の対向エリアＴＡが、クイックフォーマットにおける消去範囲から除外される（ステップＳ２０１）。尚、この対向エリアＴＡの消去範囲からの除外は、セクタ番号等のアドレスを制御することによって、この対向エリアＴＡを、クイックフォーマットにおける消去範囲から除外するようにしてもよい。【０１２４】
上述したように第２実施例によれば、例えばファイルシステムを書き換える際には、ファイルシステムエリアＦＳＡに対向される対向エリアＴＡにおいては、各種の情報が最初から記録不可能である状態にされている。よって、対向エリアＴＡにおいて情報を消去する必要は殆ど又は完全にない。従って、上述した第１実施例と同様に、例えばＤＶＤ−ＲＷ等の２層書き換え型の光ディスクにおいて、記録要件を満たした各種の情報の記録後、少なくともファイルシステムを、常に記録要件を満たしつつ、迅速且つ簡便に書き換えることが可能である。【０１２５】
以上の結果、ユーザは、少なくともＬ０層において、例えばファイルシステム等の情報を、上述した記録要件を常に満たしつつ、迅速且つ簡便に書き換えることが可能である。特に、第２実施例においては、対向エリアＴＡにおいて情報を消去する必要は殆ど又は完全にないので、クイックフォーマットをより迅速に行うことが可能である。【０１２６】
（５）本発明の情報記録媒体の第３実施例に係るクイックフォーマットの方法
次に、図９から図１２を参照して、本発明の情報記録媒体の第３実施例に係るクイックフォーマットの方法について説明する。【０１２７】
（５−１）第３実施例に係る２層型光ディスクの詳細構成
先ず、図９及び図１０を参照して、本発明の情報記録媒体の第３実施例に係る詳細構成について説明する。ここに、図９は、本発明の情報記録媒体の第３実施例に係る２層型光ディスクの記録領域を図式的に示した模式図である。図１０は、本発明の情報記録媒体の第３実施例に係る、対向エリアに情報が記録されているか否かを示す識別情報（フラグ）等を含む管理情報を示したテーブルである。【０１２８】
図９に示されるように、第３実施例に係る２層型光ディスクの記録領域について詳細には、対向エリアＴＡにおいて、情報が記録されているか否かを示す識別情報等を含む管理情報が、例えばコントロールデータゾーンＣＤＺにおいて記録されている。詳細には、図１０に示されるように、この管理情報は、（ｉ）２層型、又は単層型であることを示す情報、及び（ｉｉ）対向エリアＴＡに情報が記録されているか否かを示す識別情報（フラグ）を含むようにしてもよい。【０１２９】
（５−２）第３実施例に係る２層型光ディスクに対するクイックフォーマットの方法の一具体例
次に、図１１を参照して、本発明の情報記録媒体の第３実施例に係る２層型光ディスクに対するクイックフォーマットの方法の一具体例について説明する。ここに、図１１は、本発明の情報記録媒体の第３実施例に係る２層型光ディスクに対するクイックフォーマットの方法の一具体例を示したフローチャートである。尚、図１１において、前述した第１実施例等と同様の処理には同様のステップ番号を付し、それらの説明は適宜省略する。【０１３０】
図１１に示されるように、ＣＰＵ３０５の制御下で、前述したステップＳ１０２の判定の結果、２層型の光ディスク１００であると判定された場合（ステップＳ１０２：Ｙｅｓ）、更に、管理情報に含まれる識別情報に基づいて、Ｌ１層の対向エリアＴＡにおいて、情報が記録されているか否かが判定される（ステップＳ３０１）。ここで、対向エリアＴＡにおいて、情報が記録されていると判定された場合（ステップＳ３０１：Ｙｅｓ）、前述したように、ＣＰＵ３０５の制御下で、光ピックアップ３０１や信号記録再生手段３０２等の記録再生手段によって、Ｌ１層の対向エリアＴＡに記録された情報の消去が行われる（ステップＳ１０３）。【０１３１】
他方、ステップＳ３０１の判定の結果、対向エリアＴＡにおいて、情報が記録されていないと判定された場合（ステップＳ３０１：Ｎｏ）、前述したステップＳ１０３における、Ｌ１層の対向エリアＴＡに記録された情報の消去は、省略される。【０１３２】
上述したように第３実施例の一具体例によれば、例えばファイルシステムを書き換える際には、ファイルシステムエリアＦＳＡに対向される対向エリアＴＡに、各種の情報が記録されているか否かが識別情報に基づいて判別される。よって、この識別情報に基づいて、対向エリアＴＡにおいて情報をより効率的に消去することが可能である。従って、上述した第１実施例と同様に、例えばＤＶＤ−ＲＷ等の２層書き換え型の光ディスクにおいて、記録要件を満たした各種の情報の記録後、少なくともファイルシステムを、常に記録要件を満たしつつ、迅速且つ簡便に書き換えることが可能である。【０１３３】
以上の結果、ユーザは、少なくともＬ０層において、例えばファイルシステム等の情報を、上述した記録要件を常に満たしつつ、迅速且つ簡便に書き換えることが可能である。特に、第３実施例においては、識別情報に基づいて、対向エリアＴＡにおいて情報をより効率的に消去することができるので、クイックフォーマットをより効率的に行うことが可能である。【０１３４】
（５−３）第３実施例に係る２層型光ディスクに対するクイックフォーマットの方法の他の具体例
次に、図１２を参照して、本発明の情報記録媒体の第３実施例に係る２層型光ディスクに対するクイックフォーマットの方法の他の具体例について説明する。ここに、図１２は、本発明の情報記録媒体の第３実施例に係る２層型光ディスクに対するクイックフォーマットの方法の他の具体例を示したフローチャートである。尚、図１２において、前述した第１実施例等と同様の処理には同様のステップ番号を付し、それらの説明は適宜省略する。【０１３５】
図１２に示されるように、ＣＰＵ３０５の制御下で、前述したステップＳ３０１の判定の結果、対向エリアＴＡにおいて、情報が記録されていると判定された場合（ステップＳ３０１：Ｙｅｓ）、ＣＰＵ３０５の制御下で、Ｌ０層に情報を記録するための記録パワーが、記録済みのＬ１層に対応した最適記録パワーに設定される（ステップＳ３０２）。【０１３６】
他方、前述したステップＳ３０１の判定の結果、対向エリアＴＡにおいて、情報が記録されていないと判定された場合（ステップＳ３０１：Ｎｏ）、ＣＰＵ３０５の制御下で、Ｌ０層に情報を記録するための記録パワーが、未記録状態のＬ１層に対応した最適記録パワーに設定される（ステップＳ３０３）。尚、この未記録状態のＬ１層に対応した最適記録パワーは、前述した記録済みのＬ１層に対応した最適記録パワーに所定のオフセット量を減算又は加算することによって求めてもよい。同様にして、記録済みのＬ１層に対応した最適記録パワーは、前述した未記録状態のＬ１層に対応した最適記録パワーに所定のオフセット量を加算又は減算することによって求めてもよい。【０１３７】
更に、他方、ＣＰＵ３０５の制御下で、前述したステップＳ１０２の判定の結果、２層型の光ディスク１００でないと判定された場合（ステップＳ１０２：Ｎｏ）、ＣＰＵ３０５の制御下で、単層型の光ディスクにおけるＬ０層に情報を記録するための記録パワーが、所定の最適記録パワーに設定される（ステップＳ３０４）。【０１３８】
次に、設定された最適記録パワーによって、Ｌ０層において、例えばファイルシステム等の情報が記録される（ステップＳ３０５）。特に、Ｌ０層の記録の際には、記録パワーの制御については、例えばＡＰＣ（Auto Power Control）等の負帰還制御（NFB：Negative Feed Back）を行わないようにしてもよい。【０１３９】
上述したように第３実施例の他の具体例によれば、クイックフォーマットにおいて、Ｌ０層のファイルシステムを物理的に消去する代わりに、例えば意味を保持しないランダムデータ等の情報が、上書き記録され、論理的に再生不可能とされている。尚、この論理的な再生不可能によって、フォーマットや初期化が施される前の光ディスクとして識別するためには、当該２層型光ディスクのＬ０層において、最初からプリフォーマットが施されていてもよいし、例えば光反射率を変える等の所定の光学的処理が施されていてもよい。また、第３実施例の他の具体例によれば、例えばファイルシステムを書き換える際には、ファイルシステムエリアＦＳＡに対向される対向エリアＴＡに、各種の情報が記録されているか否かが識別情報に基づいて判別される。よって、この識別情報に基づいて、対向エリアＴＡの記録状態に対応して、より適切に、Ｌ０層に情報を記録するための最適記録パワーを決定することが可能である。【０１４０】
具体的には、例えばＤＶＤレコーダー等の情報記録装置における、クイックフォーマットの動作においては、コントロールデータゾーンＣＤＺに記録された、例えばフラグ等の識別情報によって示される、情報が対向エリアＴＡに記録されていない場合、又は記録されている場合、に対応して、一定の最適な記録パワーが夫々決定される。この決定された一定の最適な記録パワーによる簡便な記録制御処理によって、適切にファイルシステムを書き換えることが可能である。【０１４１】
以上の結果、ユーザは、少なくともＬ０層において、例えばファイルシステム等の情報を、適切な記録パワーによって、迅速且つ簡便に書き換えることが可能である。特に、第３実施例の他の具体例においては、対向エリアＴＡにおいて情報を消去する必要は殆ど又は完全にないので、クイックフォーマットをより迅速に行うことが可能である。【０１４２】
（６）本発明の情報記録媒体の第４実施例に係るＬ０層への書き換え記録の方法
次に、図１３から図１５を参照して、本発明の情報記録媒体の第４実施例に係るＬ０層への書き換え記録の方法について説明する。【０１４３】
（６−１）第４実施例に係る２層型光ディスクの詳細構成
先ず、図１３及び図１４を参照して、本発明の情報記録媒体の第４実施例に係る詳細構成について説明する。ここに、図１３は、本発明の情報記録媒体の第４実施例に係る２層型光ディスクの記録領域を図式的に示した模式図である。図１４は、本発明の情報記録媒体の第４実施例に係る、暗号化データエリア、及び対向エリアに情報が記録されているか否かを示す識別情報（フラグ）等を含む管理情報を示したテーブルである。【０１４４】
図１３に示されるように、第４実施例に係る２層型光ディスクの記録領域について詳細には、暗号化データエリアＥＡ、及び対向エリアＴＡ２において、情報が記録されているか否かを示す識別情報等を含む管理情報が、例えばコントロールデータゾーンＣＤＺにおいて記録されている。詳細には、図１４に示されるように、この管理情報は、（ｉ）２層型、又は単層型であることを示す情報、（ｉｉ）暗号化データエリアＥＡに情報が記録されているか否かを示す識別情報（フラグ）、及び（ｉｉｉ）対向エリアＴＡ２に情報が記録されているか否かを示す識別情報（フラグ）を含むようにしてもよい。【０１４５】
（６−２）第４実施例に係る２層型光ディスクに対するＬ０層への書き換え記録の方法の一具体例
次に、図１５を参照して、本発明の情報記録媒体の第４実施例に係る２層型光ディスクに対するＬ０層への書き換え記録の方法の一具体例について説明する。ここに、図１５は、本発明の情報記録媒体の第４実施例に係る２層型光ディスクに対するＬ０層への書き換え記録の方法の具体例の一具体例を示したフローチャートである。尚、図１５において、前述した第１実施例等と同様の処理には同様のステップ番号を付し、それらの説明は適宜省略する。【０１４６】
図１５に示されるように、ＣＰＵ３０５の制御下で、前述したステップＳ３０１の判定の結果、対向エリアＴＡ２において、情報が記録されていると判定された場合（ステップＳ３０１：Ｙｅｓ）、ＣＰＵ３０５の制御下で、記録済みのＬ１層に対応した最適記録パワーを決定するために、例えば記録済み状態のパワーキャリブレーションエリアＰＣＡ２等の記録済みのＬ１層においてＯＰＣ（Optimum Power Control）が行われる（ステップＳ４０１）。【０１４７】
他方、前述したステップＳ３０１の判定の結果、対向エリアＴＡ２において、情報が記録されていないと判定された場合（ステップＳ３０１：Ｎｏ）、ＣＰＵ３０５の制御下で、未記録状態のＬ１層に対応した最適記録パワーを決定するために、例えば未記録状態のパワーキャリブレーションエリアＰＣＡ２等の未記録状態のＬ１層において、ＯＰＣが行われる（ステップＳ４０２）。【０１４８】
上述したように第４実施例の一具体例によれば、例えば暗号化データ等の情報が、Ｌ０層へ書き換え記録されている。また、第４実施例によれば、上述した識別情報に基づいて、対向エリアＴＡ２の記録状態に対応して、ＯＰＣが行われ、より適切に、Ｌ０層に情報を記録するための最適記録パワーを決定することが可能である。【０１４９】
具体的には、例えばＤＶＤレコーダー等の情報記録装置における、例えば暗号化データ等の情報のＬ０層への書き換え記録においては、コントロールデータゾーンＣＤＺに記録された、例えばフラグ等の識別情報によって示される、情報が対向エリアＴＡ２に記録されていない場合、又は記録されている場合、に夫々対応してＯＰＣが行われ、一定の最適な記録パワーが夫々決定される。この決定された一定の最適な記録パワーによる簡便な記録制御処理によって、適切にファイルシステムを書き換えることが可能である。【０１５０】
以上の結果、ユーザは、少なくともＬ０層において、例えばファイルシステム等の情報を、ＯＰＣによってより高精度に求められた最適記録パワーによって、迅速且つ簡便に書き換えることが可能である。【０１５１】
上述した実施例では、記録方式の一具体例として、オポジット方式について説明したが、本発明をパラレル方式等の他の記録方式に適用することも可能である。【０１５２】
また、上述した実施例では、情報記録媒体の一具体例として、例えば、２層型のＤＶＤ−ＲＷ又はＤＶＤ＋ＲＷ等の書き換え型の光ディスクについて説明したが、本発明は、例えば、３層型等のマルチプルレイヤ型の光ディスクにも適用可能である。更に、ブルーレーザーを記録再生に用いるディスク等の他の高密度記録或いは高転送レート対応の各種の情報記録媒体にも適用可能である。【０１５３】
また、上述した実施例では、情報記録装置の一具体例として、例えば、ＤＶＤ−ＲＷレコーダー又はＤＶＤ＋ＲＷレコーダー等の書き換え用の情報記録再生装置に適用可能である。更に、ブルーレーザーを記録再生に用いるディスク等の他の高密度記録或いは高転送レート対応の各種の情報記録媒体用の情報記録再生装置にも適用可能である。【０１５４】
本発明は、上述した実施例に限られるものではなく、請求の範囲及び明細書全体から読み取れる発明の要旨或いは思想に反しない範囲で適宜変更可能であり、そのような変更を伴う、情報記録媒体、情報記録装置及び方法、並びに、記録制御用のコンピュータプログラムもまた本発明の技術的範囲に含まれるものである。
【産業上の利用可能性】
【０１５５】
本発明に係る情報記録媒体、情報記録装置及び方法、記録制御用のコンピュータプログラムは、例えば２層型のＤＶＤ、ＣＤ（Compact Disc）等の多層型の情報記録媒体に利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
2007094452.tif 000003
【図２】
2007094452.tif 000004
【図３】
2007094452.tif 000005
【図４】
2007094452.tif 000006
【図５】
2007094452.tif 000007
【図６】
2007094452.tif 000008
【図７】
2007094452.tif 000009
【図８】
2007094452.tif 000010
【図９】
2007094452.tif 000011
【図１０】
2007094452.tif 000012
【図１１】
2007094452.tif 000013
【図１２】
2007094452.tif 000014
【図１３】
2007094452.tif 000015
【図１４】
2007094452.tif 000016
【図１５】
2007094452.tif 000017
【図１６】
2007094452.tif 000018
【図１７】
2007094452.tif 000019
【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
少なくとも記録又は再生を制御するための制御情報を含む第１情報を記録するための第１記録層と、前記第１記録層に積層されると共に、第２情報を記録するための第２記録層とを少なくとも備える情報記録媒体に記録する情報記録装置であって、
前記第１情報を消去する第１消去手段と、
前記第１記録層を透過したレーザ光によって、前記第２情報を消去する第２消去手段と、
前記第１情報が記録された第１記録領域に対向される前記第２記録層の第２記録領域の状態に基づいて決定される特性を保持する前記レーザ光によって、前記第１情報を少なくとも消去するように前記第１消去手段を制御する制御手段と
を備えることを特徴とする情報記録装置。
【請求項２】
少なくとも記録又は再生を制御するための制御情報を含む第１情報を記録するための第１トラックが形成された第１記録層と、前記第１記録層に積層されると共に、第２情報を記録するための第２記録層とを少なくとも備える情報記録媒体に記録する情報記録方法であって、
前記第１情報を消去する第１消去工程と、
前記第１記録層を透過したレーザ光によって、前記第２情報を消去する第２消去工程と、
前記第１情報が記録された第１記録領域に対向される前記第２記録層の第２記録領域の状態に基づいて決定される特性を保持する前記レーザ光によって、前記第１情報を少なくとも消去するように前記第１消去工程を制御する制御工程と
を備えることを特徴とする情報記録方法。
【請求項３】
請求の範囲第１項に記載の情報記録装置に備えられたコンピュータを制御する記録制御用のコンピュータプログラムであって、該コンピュータを、前記第１消去手段、前記第２消去手段、及び、前記制御手段のうち少なくとも一部として機能させることを特徴とするコンピュータプログラム。
【国際調査報告】
2007094452.tif 000020
2007094452.tif 000021
2007094452.tif 000022
2007094452.tif 000023
2007094452.tif 000024
2007094452.tif 000025
2007094452.tif 000026